(57)【要約】【課題】  スケジュール設定情報に連動して音声着信時にメール送信制御を行う移動通信端末及びメール応答方法を提供することを目的とする。【解決手段】  記憶部６に保存されたスケジュールの設定時間ないに音声着信があった場合、制御部３は記憶部６に保存されたメール内容を発信側端末へ送信する。メール内容には、スケジュールに設定された情報を設定する。【選択図】  図１
2005184600.tif 000002
【特許請求の範囲】
【請求項１】
音声通話機能と、発着信履歴機能と、電話帳機能と、メール送信機能とを備えた移動通信端末において、
音声着信かメール着信かを判断する着信判断手段と、
予めスケジュール情報を設定するスケジュール設定手段と、
前記スケジュール情報をメール内容としてメール作成するメール作成手段と、
前記移動通信端末に着信あった時に、発信者の電話番号及びメールアドレスが前記電話帳機能に登録されているかを検索する検索手段と、
発信者からの着信を着信履歴として保存する着信履歴保存手段と、
前記電話帳機能に登録されているメールアドレスにメールを送信するメール送信手段とを有し、
前記スケジュール設定手段によって設定されたスケジュールの時間帯に前記移動通信端末へ着信があった場合、前記着信判断手段によって着信が音声着信かメール着信かを判断し、発信者の電話番号から発信者の電話番号及びメールアドレスが前記電話帳機能に登録されているかを前記検索手段によって検索し、前記メールアドレスに対してスケジュール情報をメール内容として、メールを作成し、メールを送信することを特徴とする移動通信端末。
【請求項２】
前記スケジュール設定手段は、スケジュールの内容とスケジュール開始日時、スケジュール終了日時及びメール送信を行うか否かを設定するメール送信設定手段を有することを特徴とする請求項１記載の移動通信端末。
【請求項３】
前記メール送信設定手段は、前記スケジュール開始日時から前記スケジュール終了日時の間に前記移動通信端末に着信があった場合に、前記スケジュール情報をメール内容としてメールを送信するか否かを決定することができることを特徴とする請求項１または２記載の移動通信端末。
【請求項４】
前記着信履歴保存手段は、前記移動通信端末への着信を前記着信判断手段によって音声着信と判断された時に、前記検索手段によって、前記電話帳機能に発信者の名前及び電話番号が登録されているかを検索し、着信日時、発信者の電話番号及び発信者の名前を保存することを特徴とする請求項１記載の移動通信端末。
【請求項５】
前記着信判断手段は、前記移動通信端末への着信が音声着信と判断した場合に、前記検索手段によって発信者の電話番号とメールアドレスが前記電話帳機能に登録されているかを検索し、前記メールアドレスを宛先として前記メール作成手段によって、前記スケジュール情報をメール本文としてメールを作成し、メールを送信することを特徴とする請求項１から４のいずれか１項に記載の移動通信端末。
【請求項６】
前記着信判断手段は、前記移動通信端末への着信がメール着信と判断した場合に、受信したメールのメールアドレスを宛先として、前記メール作成手段によって、前記スケジュール情報をメール本文として前記メールを作成し、メールを送信することを特徴とする請求項１から４のいずれか１項に記載の移動通信端末。
【請求項７】
前記メール作成手段は、前記スケジュール情報であるスケジュールの内容とスケジュール開始日時、スケジュール終了日時をメールの本文としてメールを作成することを特徴とする請求項１から６のいずれか１項に記載の移動通信端末。
【請求項８】
音声通話機能と、発着信履歴機能と、電話帳機能と、メール送信機能とを備えた移動通信端末において、
予めスケジュール情報を設定するスケジュール設定工程と、
音声着信かメール着信かを判断する着信判断工程と、
前記スケジュール情報をメール内容としてメール作成するメール作成手段と、
前記移動通信端末に着信があった時に、発信者の電話番号及びメールアドレスが前記電話帳機能に登録されているかを検索する検索工程と、
発信者からの着信を着信履歴として保存する着信履歴保存工程と、
前記電話帳に登録されているメールアドレスにメールを送信するメール送信工程とを有し、
スケジュール設定工程によって予めスケジュール情報を設定し、
前記移動通信端末への着信に応答できない場合に、着信判断工程によって音声着信かメール着信かを判断し、
前記検索工程によって、発信者の電話番号から発信者の電話番号及びメールアドレスが前記電話帳機能に登録されているかを前記検索手段によって検索し、
前記メール作成工程によって前記メールアドレスに対してスケジュール情報をメール内容としてメールを作成し、メールを送信することを特徴とするメール応答方法。
【請求項９】
前記スケジュール設定工程は、スケジュールの内容とスケジュール開始日時、スケジュール終了日時及びメール送信を行うか否かを設定するメール送信工程を有することを特徴とする請求項８記載のメール応答方法。
【請求項１０】
前記メール送信設定工程は、前記スケジュール開始日時から前記スケジュール終了日時の間に前記移動通信末に着信があった場合に、前記スケジュール情報をメール本文としてメールを送信するか否かを決定することができる請求項８または９記載のメール応答方法。
【請求項１１】
前記着信履歴保存工程は、前記移動通信端末への着信を前記着信判断工程によって音声着信と判断された時に、前記検索工程によって、前記電話帳機能に発信者の名前及び電話番号が登録されているかを検索し、着信日時、発信者の電話番号及び発信者の名前を保存することを特徴とする請求項８記載のメール応答方法。
【請求項１２】
前記着信判断工程は、前記移動通信端末への着信が音声着信と判断した場合に、前記検索手段によって発信者の電話番号とメールアドレスが前記電話帳機能に登録されているかを検索し、前記メールアドレスを宛先として前記メール作成工程によって、前記スケジュール情報をメール本文としてメールを作成し、メールを送信することを特徴とする請求項８から１１のいずれか１項に記載のメール応答方法。
【請求項１３】
前記着信判断工程は、前記移動通信端末への着信がメール着信と判断した場合に、受信したメールのメールアドレスを宛先として、前記メール作成工程によって、前記スケジュール情報をメール本文としてメールを作成し、メールを送信することを特徴とする請求項８から１１のいずれか１項に記載のメール応答方法。
【請求項１４】
前記メール作成工程は、前記スケジュール情報であるスケジュール内容とスケジュール開始時刻、スケジュール終了時刻をメールの本文としてメールを作成することを特徴とする請求項８から１３のいずれか１項に記載のメール応答方法。
【発明の詳細な説明】
【技術分野】
【０００１】
本発明は、移動通信端末及びメール応答方法に関し、特に着信応答できなかった時に、メール送信を行う移動通信端末及びメール応答方法に関する。
【背景技術】
【０００２】
従来、留守録機能を有する移動通信端末においては、音声着信時に着信応答できない場合、留守録応答することにより発信者は電話をかけた相手が応答できない状況であることを知ることができる。
【０００３】
但し、留守録応答だけでは着信応答できない状況、例えば会議中の状況がいつまで続くのかを知ることができないため、発信者が再度電話をかけたい場合、相手が着信応答可能になるであろう時間を推測し、電話をかけなければならないような状況となる。
【０００４】
また、上記問題を解決するために、特許文献１に記載されている発明では、音声着信時に、即時に音声応答できない場合に、登録されたスケジュールデータから着信の日時を検索キーに、着信の日時以降で所定時間以内のスケジュールデータを検索し、着信の日時から所定の時間以内のスケジュールデータと予め用意された不在通知文書とで編集した通知文書に、電話帳機能により発信者の電話番号対応で予め登録された電子メールのアドレスを付加し、電子メール機能により、着信時での発信者の相手宛に送信する。よって、一旦、着信鳴動し、その着信に自動応答した後に、その着信の相手先へメール送信を行う（特許文献１参照）。
【０００５】
また、特許文献２に記載されている発明では、携帯型通信端末において不在、会議中、観劇中その他の事情で着信時に応答できない、いわゆる不在着信時に発信者の情報を収集したメール文書を着信者の指定先に送信する（特許文献２参照）。
【特許文献１】特開２００２−３４４６５２号公報
【特許文献２】特開２００３−２１９４６９号公報
【発明の開示】
【発明が解決しようとする課題】
【０００６】
しかしながら、特許文献１に記載されている発明では、音声着信に応答できない時に、留守番設定によって一度、自動応答を行った後にスケジュールデータを含む文書をメール送信する。この時に留守番設定による自動応答により電話をかけてきた相手に対して課金されてしまうといった問題がある。
【０００７】
また、特許文献２に記載されている発明でも、一旦着信に応答してから通知メール文書を送信することから、特許文献１の発明と同じく発信者に対して課金されてしまう。
【０００８】
本発明は係る問題に鑑みてなされたものであり、音声通話機能、メール送信機能及びスケジュール機能を有した移動通信端末において、スケジュール設定情報に連動して音声着信時に着信応答の代わりにメール送信を行うことを特徴とした移動通信端末及びメール応答方法を提供することを目的とする。
【課題を解決するための手段】
【０００９】
上記目的を達成するために、請求項１記載の移動通信端末は、音声通話機能と、発着信履歴機能と、電話帳機能と、メール送信機能とを備えた移動通信端末において、音声着信かメール着信かを判断する着信判断手段と、予めスケジュール情報を設定するスケジュール設定手段と、スケジュール情報をメール内容としてメール作成するメール作成手段と、移動通信端末に着信あった時に、発信者の電話番号及びメールアドレスが電話帳機能に登録されているかを検索する検索手段と、発信者からの着信を着信履歴として保存する着信履歴保存手段と、電話帳機能に登録されているメールアドレスにメールを送信するメール送信手段とを有し、スケジュール設定手段によって設定されたスケジュールの時間帯に移動通信端末へ着信があった場合、着信判断手段によって着信が音声着信かメール着信かを判断し、発信者の電話番号から発信者の電話番号及びメールアドレスが電話帳機能に登録されているかを検索手段によって検索し、メールアドレスに対してスケジュール情報をメール内容として、メールを作成し、メールを送信することを特徴とする。
【００１０】
請求項２記載の発明は、請求項１記載の移動通信端末であって、スケジュール設定手段は、スケジュールの内容とスケジュール開始日時、スケジュール終了日時及びメール送信を行うか否かを設定するメール送信設定手段を有することを特徴とする。
【００１１】
請求項３記載の発明は、請求項１または２記載の移動通信端末であって、メール送信設定手段は、スケジュール開始日時からスケジュール終了日時の間に移動通信端末に着信があった場合に、スケジュール情報をメール内容としてメールを送信するか否かを決定することができることを特徴とする。
【００１２】
請求項４記載の発明は、請求項１記載の移動通信端末であって、着信履歴保存手段は、移動通信端末への着信を着信判断手段によって音声着信と判断された時に、検索手段によって、電話帳機能に発信者の名前及び電話番号が登録されているかを検索し、着信日時、発信者の電話番号及び発信者の名前を保存することを特徴とする。
【００１３】
請求項５記載の発明は、請求項１から４のいずれか１項に記載の移動通信端末であって、着信判断手段は、移動通信端末への着信が音声着信と判断した場合に、検索手段によって発信者の電話番号とメールアドレスが電話帳機能に登録されているかを検索し、メールアドレスを宛先としてメール作成手段によって、スケジュール情報をメール本文としてメールを作成し、メールを送信することを特徴とする。
【００１４】
請求項６記載の発明は、請求項１から４のいずれか１項に記載の移動通信端末であって、着信判断手段は、移動通信端末への着信がメール着信と判断した場合に、受信したメールのメールアドレスを宛先として、メール作成手段によって、スケジュール情報をメール本文としてメールを作成し、メールを送信することを特徴とする。
【００１５】
請求項７記載の発明は、請求項１から６のいずれか１項に記載の移動通信端末であって、メール作成手段は、スケジュール情報であるスケジュールの内容とスケジュール開始日時、スケジュール終了日時をメールの本文としてメールを作成することを特徴とする。
【００１６】
請求項８記載のメール応答方法は、音声通話機能と、発着信履歴機能と、電話帳機能と、メール送信機能とを備えた移動通信端末において、予めスケジュール情報を設定するスケジュール設定工程と、音声着信かメール着信かを判断する着信判断工程と、スケジュール情報をメール内容としてメール作成するメール作成手段と、移動通信端末に着信があった時に、発信者の電話番号及びメールアドレスが電話帳機能に登録されているかを検索する検索工程と、発信者からの着信を着信履歴として保存する着信履歴保存工程と、電話帳に登録されているメールアドレスにメールを送信するメール送信工程とを有し、スケジュール設定工程によって予めスケジュール情報を設定し、移動通信端末への着信に応答できない場合に、着信判断工程によって音声着信かメール着信かを判断し、検索工程によって、発信者の電話番号から発信者の電話番号及びメールアドレスが電話帳機能に登録されているかを検索手段によって検索し、メール作成工程によってメールアドレスに対してスケジュール情報をメール内容としてメールを作成し、メールを送信することを特徴とする。
【００１７】
請求項９記載の発明は、請求項８記載のメール応答方法であって、スケジュール設定工程は、スケジュールの内容とスケジュール開始日時、スケジュール終了日時及びメール送信を行うか否かを設定するメール送信工程を有することを特徴とする。
【００１８】
請求項１０記載の発明は、請求項８または９記載のメール応答方法であって、メール送信設定工程は、スケジュール開始日時からスケジュール終了日時の間に移動通信末に着信があった場合に、スケジュール情報をメール本文としてメールを送信するか否かを決定することができることを特徴とする。
【００１９】
請求項１１記載の発明は、請求項８記載のメール応答方法であって、着信履歴保存工程は、移動通信端末への着信を着信判断工程によって音声着信と判断された時に、検索工程によって、電話帳機能に発信者の名前及び電話番号が登録されているかを検索し、着信日時、発信者の電話番号及び発信者の名前を保存することを特徴とする。
【００２０】
請求項１２記載の発明は、請求項８から１１のいずれか１項に記載のメール応答方法であって、着信判断工程は、移動通信端末への着信が音声着信と判断した場合に、検索手段によって発信者の電話番号とメールアドレスが電話帳機能に登録されているかを検索し、メールアドレスを宛先としてメール作成工程によって、スケジュール情報をメール本文としてメールを作成し、メールを送信することを特徴とする。
【００２１】
請求項１３記載の発明は、請求項８から１１のいずれか１項に記載のメール応答方法であって、着信判断工程は、移動通信端末への着信がメール着信と判断した場合に、受信したメールのメールアドレスを宛先として、メール作成工程によって、スケジュール情報をメール本文としてメールを作成し、メールを送信することを特徴とする。
【００２２】
請求項１４記載の発明は、請求項８から１３のいずれか１項に記載のメール応答方法であって、メール作成工程は、スケジュール情報であるスケジュール内容とスケジュール開始時刻、スケジュール終了時刻をメールの本文としてメールを作成することを特徴とする。
【発明の効果】
【００２３】
本発明によれば、予めスケジュール情報を設定する際に移動通信端末への着信に応答できるか否かを決定できることから、スケジュールが設定されている間に移動通信端末へ着信があった場合に、着信応答の代わりにメール送信を行うことができる。そのため、音声着信に応答することなく、音声着信に応答できない状況とその状況が終了する時間を発信者に対して知らせることができる。
【発明を実施するための最良の形態】
【００２４】
次に添付図面を参照して、本発明の実施形態を説明する。
本発明は、音声通話機能、メール送信機能及びスケジュール機能を有する移動通信端末において、スケジュール設定情報に連動して音声着信時に着信応答の代わりにメール送信を行うことを特徴としている。
【００２５】
図１は、本発明の実施形態における移動通信端末の構成を示したブロック図である。
本発明の移動通信端末は、アンテナ１と無線部２、制御部３、操作部４、表示部５、記憶部６、マイク７、レシーバ８から構成されている。
【００２６】
アンテナ１は、基地局との間で電波信号の送受信を行う。無線部２は、アンテナ１で受信した信号を中間周波数帯に変換したり中間周波数帯の信号を無線周波数帯に変換して送信する。制御部３は、音声通話やメール送受信に必要な制御や各デバイスの制御など移動通信端末すべての制御を行う。操作部４は、移動通信端末へのキー入力や機能の操作を行う。表示部５は、操作部４により操作された結果や移動通信端末の状態を表示する。記憶部６は、操作部４により設定された内容や移動通信端末を動作させるために必要なデータを保持する。マイク７及びレシーバ８は、音声通話に使用する。
【００２７】
以上の構成から図１において、記憶部６に保存されたスケジュールの設定時間内に音声着信があった場合、制御部３は記憶部６に保存されたメール内容を発信側端末へ送信する。このメール内容２は、スケジュールに設定された情報が設定される。
【００２８】
このようにして、スケジュール設定情報に連動して音声着信時に着信応答の代わりにメール送信ができるため、会議中に電話に出ることができないような場合、音声着信に応答することなく、発信者に対して現在の自分の状況を確実に伝えることができる。
【００２９】
次に、図１に示す構成の各部の動作を説明する。
制御部３は、操作部４により設定されたスケジュール設定情報（スケジュール内容・スケジュール開始時刻・スケジュール終了時刻・メール送信設定）を表示部５へ表示し、その内容を記憶部６へ保存させる。
【００３０】
また、制御部３は、記憶部６へスケジュール設定情報が保存された時、そのスケジュール設定情報がメール送信有りとなっていいた場合は、音声着信時に送信するメールの本文内容としてスケジュール設定情報の中からスケジュール内容・スケジュール開始時刻・スケジュール終了時刻をコピーし、コピー内容を記憶部６へ保存させる。
【００３１】
さらに、制御部３は、音声着信時に記憶部６に保存されたスケジュール設定情報の中にメール送信有りと設定されたスケジュールがあるか検索し、メール送信有りのスケジュール情報が存在する場合は、現在の時刻がそのスケジュール情報の設定時間内であるかを確認し、設定時間内である場合は、発信者が電話帳に登録されており、かつその電話帳にメールアドレスが登録されているか検索し、電話帳にメールアドレスが登録されている場合は、そのメールアドレスを宛先としてメール送信を行う。
【００３２】
図２は、図１に示す記憶部６の構成概念図である。
記憶部６は、スケジュール設定部６１とメール送信設定部６２とメール内容設定部６３と電話帳データ部６４と、その他データ部６５とから構成されている。
【００３３】
次に、記憶部６の処理動作を説明する。
スケジュール設定部６１は、移動通信端末が有するスケジュール機能において設定されたスケジュール設定情報を記憶するメモリであり、スケジュール内容と、スケジュール開始時刻と、スケジュール終了時刻とが保存されている。
【００３４】
メール送信設定部６２は、移動通信端末が有するスケジュール機能において設定されたスケジュール設定情報の内、スケジュール設定時刻内（開始時刻から終了時刻までの間）に音声着信があった場合のメール送信設定を記憶するメモリであり、メール送信有りかメール送信無しのいずれかの設定が保存される。
【００３５】
メール内容設定部６３は、移動通信端末が有するスケジュール機能においてメール送信有りで設定されたスケジュールがある場合（メール送信設定部６２にメール送信有りと保存されたスケジュールがある場合）、スケジュール設定部６１の内容（スケジュール内容・スケジュール開始時刻・スケジュール終了時刻）がメール送信時の本文内容として保存されるメモリである。
【００３６】
電話帳データ部６４は、移動通信端末が有する電話帳機能またはアドレス帳機能において登録される氏名・電話番号・メールアドレス等を複数件記憶するメモリである。
【００３７】
次に図４に示すフローチャートを参照して本発明の処理動作を説明する。
まず、操作部４によりスケジュール内容、スケジュール開始時刻、スケジュール終了時刻、メール送信設定（スケジュール設定時間内の音声着信時にメール送信するか否かの設定）を設定し、スケジュール内容とスケジュール開始時刻とスケジュール終了時刻の設定内容をスケジュール設定部６１へメール送信設定の設定内容をメール送信設定部６２へそれぞれ保存する（ステップＳ１０１）。
【００３８】
図３には、ステップＳ１０１でスケジュール情報（スケジュール内容・スケジュール開始時刻・スケジュール終了時刻・メール送信設定）を設定・保存する際の表示部５への表示概念を示す。
【００３９】
ここでは、スケジュール１の設定・保存内容及びスケジュール１の設定・保存内容が示されている。
スケジュール１では、スケジュール内容＝会議、スケジュール開始の年月日及び時刻＝２００３／１１／３１，１０：００、スケジュール終了の年月日及び時刻＝２００３／１１／３１，１１：００、メール送信＝有りとなっている。
【００４０】
スケジュール２では、スケジュール内容＝昼食、スケジュール開始の年月日及び時刻＝２００３／１１／３１，１２：００、スケジュール終了の年月日及び時刻＝２００３／１１／３１，１３：００メール送信＝無しとなっている。
【００４１】
ステップＳ１０１でスケジュール設定情報が保存されると、次にスケジュール設定情報を全て確認する（ステップＳ１０２）。スケジュール設定情報を未確認の場合（ステップＳ１０２／ＮＯ）、スケジュール設定でメール送信有りかどうかを確認する（ステップＳ１０３）。スケジュール設定でメール送信無しの場合（ステップＳ１０３／ＮＯ）、ステップＳ１０２の前に戻る。
【００４２】
スケジュール設定でメール送信有りの場合は（ステップＳ１０３／ＹＥＳ）、次にメール内容設定（ステップＳ１０４）を行う。ここでは、メール送信時の本文内容として、該当するスケジュール設定情報の中からスケジュール内容とスケジュール開始の年月日及び時刻、スケジュール終了の年月日及び時刻とをスケジュール設定部６１からコピーし、メール内容設定部６３へ保存する。図３では、スケジュール１の内容とスケジュール開始の年月日及び時刻とスケジュール終了の年月日及び時刻とがメール内容設定部６３へ保存される。
【００４３】
以上のようなステップＳ１０１〜Ｓ１０４で設定した状態にある時に、次に、着信有りかの判断を行い（ステップＳ１０５）、着信が無い場合は（ステップＳ１０５／ＮＯ）、待機状態となる。着信が有りの場合は（ステップＳ１０５／ＹＥＳ）、次に、着信時刻がスケジュール設定部６１に保存されているスケジュール情報の設定時刻内であるかを確認する（ステップＳ１０６）。
【００４４】
着信時刻がスケジュール情報の設定時刻内の場合（ステップＳ１０６／ＹＥＳ）、ここでは、図３に示すスケジュール情報において、着信時刻が１０：３０であるときを示す。
次に着信が音声着信かメール着信かを確認する（ステップＳ１０８）。音声着信の場合は（ステップＳ１０８／音声着信）、次に発信者が電話帳データ部６４に登録されており、かつメールアドレスが設定されているかを確認する（ステップＳ１０９）。
【００４５】
ステップＳ１０９において、発信者の電話番号が電話帳データ部６４に登録されており、さらに発信者のメールアドレスも電話帳データ部６４に登録されている場合（ステップＳ１０９／ＹＥＳ）その発信者のメールアドレスをメール宛先とし、メール本文の内容にはメール内容設定部６３の内容を設定し、発信者に対してメール送信を行う（ステップＳ１１０）。
【００４６】
次に、ステップＳ１０８においてメール着信の場合（ステップＳ１０８／メール着信）、そのメールを発信した発信者のメールアドレスをメール宛先とし、メール本文の内容にはメール内容設定部６３の内容を設定し、発信者に対してメール送信を行う（ステップＳ１１０）。
【００４７】
なお、ステップＳ１０６におけるメール送信有りのスケジュールの設定時間でない場合（ステップＳ１０６／ＮＯ）やステップＳ１０９において発信者の電話番号が電話帳データ部６４に登録されていない、もしくは電話帳データ部６４には登録されているが電話番号のみでメールアドレスが登録されていない場合（ステップＳ１０９／ＮＯ）は、メール送信の対象外となるため、音声着信動作を行う（ステップＳ１０７）。
【００４８】
また、ステップＳ１０９において電話帳データ部６４に登録されている発信者のメールアドレスが携帯端末以外のメールアドレスが複数存在する場合は、携帯端末用のメールアドレスを指定して、メール送信を行うようにしても良い。
【図面の簡単な説明】
【００４９】
【図１】本発明の実施形態における移動通信端末の構成を示したブロック図である。
【図２】本発明の実施形態における記憶部の構成を示した概念図である。
【図３】本発明の実施形態における表示部へ表示するスケジュール情報を示した図である。
【図４】本発明の実施形態における移動通信端末の処理動作を示すフローチャートである。
【符号の説明】
【００５０】
１    アンテナ
２    無線部
３    制御部
４    操作部
５    表示部
６    記憶部
７    マイク
８    レシーバ
【図１】
2005184600.tif 000003
【図２】
2005184600.tif 000004
【図３】
2005184600.tif 000005
【図４】
2005184600.tif 000006